(57)【特許請求の範囲】
【請求項１】
底容器（３）内部にインキを含浸したインキ吸蔵体（１４）を設け、底容器（３）の開口端近傍で表布（１３）を貼った表布張りリング（１２）を押圧し前記表布（１３）が張設状態となるように前記底容器（３）の周壁と凹凸嵌合する固定リング（６）を設け、前記固定リング（６）の外周面には、蓋容器（１）と着脱自在に螺子嵌合する雄螺子（７）を設け、底容器（３）周壁内側に被固定部（５）を設け、底容器（３）周壁に相対する前記固定リング（６）外周面の少なくとも一部に前記固定リング（６）の中心方向に弾発作用する弾発固定部片（１１）を設け、前記被固定部（５）と前記弾発固定部片に設けた固定部（９）とを嵌合固定し固定リング（６）の回転防止することを特徴とする印褥具。
【請求項２】
前記固定部（９）に並列に２本の切欠溝（１０）を前記固定部（９）の左右に設けて、固定リング（６）の中心に対して内外に弾発作用する弾発固定部片（１１）としたことを特徴とした請求項１に記載した印褥具。
【請求項３】
前記固定部（９）に並列に１本の切欠溝（１０）を、更に、この切欠溝に垂直に１本の垂直切欠溝（１５）を設け略Ｌ字型として、固定リング（６）の中心に対して内外に弾発作用する弾発固定部片（１１）としたことを特徴とした請求項１に記載した印褥具。
【請求項４】
前記固定部（９）を囲む３辺のうち少なくとも１辺を薄肉部（１６）として固定リング（６）に設けて、前記固定リング（６）の中心に対して内外に弾発作用する弾発固定部片（１１）としたことを特徴とする請求項１に記載した印褥具。
【発明の詳細な説明】
【０００１】
【産業上の利用分野】
表布を表布張りリングに貼りつけ、固定リングで上方から表布張りリングを押圧固定し、表布を張設状態にした朱肉及びスタンプ台の印褥具に関するものである。
【０００２】
【従来の技術】
従来、朱肉及びスタンプ台の印褥具の構成は、例えば、下からタンクフェルト、インキ調節アミ皿、調節用フェルト、表布等となったスタンプ台の印褥具であり、タンクフェルト、調節用フェルト、表布等とした朱肉の印褥具の構成となっていた。こうした、従来の朱肉及びスタンプ台の表布は、固定枠体に固定され、表布付枠体としており、底容器に嵌合固定されている。こうした出願は、実公昭５０−１９３９号（以下、（イ）とする）、実開昭４８−４６７１３号（以下、（ロ）とする）、実開昭５０−７９５０８号（以下、（ハ）とする）がある。これら（イ）（ロ）（ハ）は直接外観に現れる係止枠と称する物に表布を張り付け固定してある。（イ）は、環体６と円函体２を環帯体８と環溝９によって凹凸嵌合しており、明細書中にはないが蓋を上から被せて褥布５の表面をおおっている。しかし、こうした印褥具を落としたり、カバンや袋にいれて輸送したときには蓋が取れやすいといった問題が発生する。
【０００３】
（ロ）は、短筒体３が底皿体６と嵌着している記載はなく、図より凹凸嵌合、螺子嵌合ともに判断できる。また、図より蓋８は、短筒体３、覆布２を覆う状態で装着されている。しかし、（ロ）も（イ）と同様に蓋がはずれやすいという問題が発生する。
（ハ）は、枠体５に被覆体８を溶着させ枠体５を環状溝４に圧入嵌合等をして保持させている。圧入嵌合であれば容易に嵌合できる。しかし、蓋が枠体５に着脱自在に圧入嵌合されたと推測出来ても（イ）と（ロ）と同様に蓋が外れやすいという問題が発生する。
【０００４】
こうした蓋を外れないようにするには、蓋と枠体が螺子で着脱自在にする必要がある。また、こうした商品もあり、枠体が底容器に強く圧入嵌合させて蓋の着脱時における螺子嵌合により、枠体と底容器の嵌合が外れないようにしている。しかし、枠体と底容器との圧入嵌合には部材のバラツキにより一定の圧入嵌合が得にくく、無理に圧入すると商品内部にも応力を残すことになり部材の割れ、ひびの原因にもなる。
また、枠体と底容器、枠体と蓋容器とを螺子嵌合とすることも考えられるが、蓋容器の着脱によって、枠体と底容器を逆螺子にしてもはずれるという問題が生じる。さらに枠体と底容器は凹凸嵌合しているものもあるが、蓋容器と枠体との螺子嵌合は供回りを生じ蓋容器を確実に締めることは出来ない。
【０００５】
【発明が解決しようとする課題】
本発明の印褥具は、カバンや袋にいれて持ち運んだり、落下によって容易に蓋が脱落することがなく蓋が確実に出来る印褥具である。また、蓋の着脱時において、枠体と底容器の嵌合が緩んだり、供回りや外れたりすることがない、残留応力もすくなく割れやひびが生じることがない、金型上も作成しやすく、組み付けやすい印褥具を提供するものである。
【０００６】
【課題を解決するための手段】
底容器３内部にインキを含浸したインキ吸蔵体１４を設け、底容器３の開口端近傍で表布１３を貼った表布張りリング１２を押圧し前記表布１３が張設状態となるように前記底容器３の周壁と凹凸嵌合する固定リング６を設け、前記固定リング６の外周面には、蓋容器１と着脱自在に螺子嵌合する雄螺子７を設け、底容器３周壁内側に被固定部５を設け、底容器３周壁に相対する前記固定リング６外周面の少なくとも一部に前記固定リング６の中心方向に弾発作用する弾発固定部片１１を設け、前記被固定部５と前記弾発固定部片に設けた固定部９とを嵌合固定し固定リング６の回転防止することを特徴とする印褥具である。
【０００７】
【作用】
本発明の印褥具を組み付けるには、底容器３の内部にインキ吸蔵体１４を配置して、表布１３を貼った表布張りリング１２をインキ吸蔵体１４を囲むように前記底容器３の内部に配置する。
更に、上方より固定リング６を押圧して表布張りリング１２を押圧し表布１３を張設状態にして固定リング６の下部に設けた凸嵌合部８と底容器３の周壁に設けられた凹嵌合部４とにより凹凸嵌合する。
すると、固定部９と被固定部５が同一位置で当接していなければ弾発固定部片１１は、中心側へ押圧された状態で、固定リング６と底容器３が前記した凸嵌合部８と凹嵌合部４とで凹凸嵌合する。
【０００８】
更に、固定リング６の上部には雄螺子７が設けられており、蓋容器１の開口端の内壁には、雌螺子２が設けられている。印褥具を使用しないときには、前記蓋容器１を固定リング６に螺子嵌合する。
すると、弾発固定部片１１は、底容器３の周壁に当接しており、内部に押圧されている状態で凸嵌合部８は円周上に設けられているので、蓋容器１を回転して螺子嵌合していくと固定リング６は回転して、弾発固定部片１１の固定部９は、被固定部５と当接すると同時に固定リング６の中心方向への押圧当接は解除され、固定リング６の回転を防止し確実に蓋容器１を装着することが出来る。
【０００９】
【実施例】
本願第１の実施例を、図１、図２、図３、図４、図５により詳細に説明する。
１は、蓋容器であり、一方を開口端としており開口端近傍の内壁には雌螺子２が設けられている。
３は、底容器であり、一方を開口端としており内壁には凹嵌合部４が、内壁に沿って円周上に設けられている。更に、凹嵌合部４と垂直方向に、開口端から内壁に被固定部５を設けている。被固定部５は、１箇所以上設けられていてもよく数は問わない。
【００１０】
６は、固定リングであり、上方開口端側の外周壁には雄螺子７が設けられており、前記蓋容器１の雌螺子２と螺子嵌合する。下方開口端側には、外周壁には凸嵌合部８が円周状に設けられている。前記底容器３の周壁に相対する部分に、前記凸嵌合部８と垂直方向に固定部９が設けられている。更に固定部９と並列する切欠溝１０を前記固定部９の左右に設けており、弾発固定部片１１を形成している。凸嵌合部８は、前記底容器３の凹嵌合部４と凹凸嵌合している。また、固定部９と被固定部５が同一位置であれば当接し、固定リング６と蓋容器１の供回りを防止する。前記固定部９が、被固定部５と同一位置にない場合は、切欠溝１０により弾発固定部片１１としているので前記固定部９の高さだけ固定リング６の中心方向に弾発した状態で押圧されている。
【００１１】
１２は、表布張りリングであり、表布１３を一方の開口端に熱融着もしくは接着で固定している。前記表布張りリング１２の内側には、インキを吸蔵したインキ吸蔵体１４が配置されている。前記表布張りリング１２を上方より当接押圧して表布１３を張設した状態で固定リング６を底容器３内に凹凸嵌合している。
前記表布張りリング１２を使用しているので表布１３を貼りつけることによる工程上の外観不良を印褥具表面に表われることを防止できる。
本願第２の実施例は、図６、図７に示す様に、固定リング６に設けられた弾発固定部片１１は、固定部９に並列に１本の切欠溝１０とこれに垂直な切欠溝１６による略Ｌ字型とした構成としている。
第２の実施例の弾発固定部片１１も固定リング６の中心に対して内側に弾発作用する。
【００１２】
本願第３の実施例は、図８、図９に示す様に、固定リング６に設けられた弾発固定部片１１は、固定部９に並列に２本の薄肉部１６を設け更に前記２本の薄肉部１６の上方に垂直に１本の薄肉部１６を設けて弾発固定部片１１とした構成としている。
本願第３の実施例は、３箇所の薄肉部１６のうち少なくとも１箇所設けられていればよい。
【００１３】
本願印褥具の組み付け方法を第１の実施例にもとずき説明する。底容器３の内部にインキ吸蔵体１４を配置して、表布１３を貼りつけた表布張りリング１２をインキ吸蔵体１４を囲むように前記底容器３の内部に配置する。更に、上方より固定リング６により表布張りリング１２を押圧し表布１３を張設状態にして固定リング６の下部に設けた凸嵌合部８と底容器３の内壁に設けられた凹嵌合部４とにより凹凸嵌合する。
すると、固定部９と被固定部５が同一位置で当接していなければ弾発固定部片１１は、固定リング６の中心側へ押圧された状態で、固定リング６と底容器３が前記した凸嵌合部８と凹嵌合部４とで凹凸嵌合する。
【００１４】
更に、固定リング６の上部には雄螺子７が設けられており、蓋容器１の開口端の内壁には、雌螺子２が設けられている。印褥具を使用しないときには、前記蓋容器１を固定リング６に螺子嵌合する。
すると、弾発固定部片１１は、底容器３の周壁に当接しており、固定リング６の中心方向へ押圧当接されている状態で凸嵌合部８は円周状に設けられているので、蓋容器１を回転して螺子嵌合していくと固定リング６は回転して、弾発固定部片１１の固定部９は、被固定部５と当接すると同時に固定リング６の中心方向への押圧当接は解除され、固定リング６の供回り回転を防止し確実に蓋容器１を装着することが出来る。
【００１５】
以上のように本願印褥具は、カバンや袋にいれて持ち運んだり、落下によって容易に蓋が脱落することがなく蓋が確実に出来る印褥具である。また、蓋の着脱時において、枠体と底容器の嵌合が緩んだり、供回りや外れたりすることがない、残留応力もすくなく割れひびが生じることがない、金型上も作成しやすく、凹凸嵌合により組み付けやすい印褥具を提供するものである。
【００１６】
【発明の効果】
以上の様な構成であるので、カバンや袋にいれて持ち運んだり、落下によって容易に蓋が脱落することがなく蓋が確実に出来る印褥具である。また、蓋の着脱時において、枠体と底容器の嵌合が緩んだり、供回りや外れたりすることがない、残留応力もすくなく割れひびが生じることがない、金型上も作成しやすく、凹凸嵌合により組み付けやすい印褥具がえられる。また、表布張りリング１２に表布１３を貼っているので外観に表れる工程上の不良を防止できる。
【図面の簡単な説明】
【図１】本発明の第１の実施例の半断面図
【図２】本発明の第１の実施例の固定リングの側面図
【図３】本発明の第１の実施例の固定リングの底面図
【図４】本発明の第１の実施例の固定リングの斜視図
【図５】本発明の第１の実施例の底容器の斜視図
【図６】本発明の第２の実施例の固定リングの一部側面図
【図７】本発明の第２の実施例の固定リングの一部底面図
【図８】本発明の第３の実施例の固定リングの一部側面図
【図９】本発明の第３の実施例の固定リングの一部底面図
【符号の説明】
１ 蓋容器
２ 雌螺子
３ 底容器
４ 凹嵌合部
５ 被固定部
６ 固定リング
７ 雄螺子
８ 凸嵌合部
９ 固定部
１０ 切欠溝
１１ 弾発固定部片
１２ 表布張りリング
１３ 表布
１４ インキ吸蔵体
１５ 垂直切欠溝
１６ 薄肉部
【図１】
0003688771.tif 000002
【図２】
0003688771.tif 000003
【図３】
0003688771.tif 000004
【図４】
0003688771.tif 000005
【図５】
0003688771.tif 000006
【図６】
0003688771.tif 000007
【図７】
0003688771.tif 000008
【図８】
0003688771.tif 000009
【図９】
0003688771.tif 000010